(57)【要約】  【課題】封筒の紙目による曲げ等に起因する印刷速度の低下や紙詰まり等の印刷障害を防止する。  【解決手段】封筒１は、開口部３以外の表面部紙シ−ト片４及び裏面部紙シ−ト片５の周縁部同士を接着剤６により相互に接着して作製する。この場合、表面部紙シ−ト片４の紙目４ａ，４ａ，・・・と裏面部紙シ−ト片５の紙目５ａ，５ａ，・・・とが互いに直交する状態で貼り合わせる。斯くして、各紙目４ａ，４ａ，・・・、５ａ，５ａ，・・・に沿って生じる曲げ等の力を互いに相殺させて、封筒１自体に曲げ等が生じないように形成する。【選択図】  図１
2005247376.tif 000002
【特許請求の範囲】
【請求項１】
表面部紙シ−ト片の周縁部と裏面部紙シ−ト片の周縁部とを相互に貼り合わせて袋状に形成し、前記表面部紙シ−ト片の紙目の方向と裏面部紙シ−ト片の紙目の方向とが互いに直交するように構成したことを特徴とする印刷用封筒。
【発明の詳細な説明】
【技術分野】
【０００１】
本発明は、プリンタ等により印刷される被印刷部を有する印刷用封筒に関するものであり、特に、表裏両面部の各紙シ−ト片の周縁部同士を相互に貼着して成る袋状の印刷用封筒に関するものである。
【背景技術】
【０００２】
従来、被印刷部を有する袋状の封筒としては、特許文献１に記載されているように、一枚の紙シートを折れ線に沿って左右に折り返し、該折り返されて相対向する左右両面の周縁部同士を接着して袋状に形成して成る印刷用封筒が知られている。この場合、上記紙シ−トには、製紙工程時にパルプ繊維と同一方向に延びる紙目が生じているために、前記封筒の表面部の紙目と裏面部の紙目とは、相互に平行な方向に形成されている。
【特許文献１】特開平１１−１５２１４５号公報（図１）
【発明の開示】
【発明が解決しようとする課題】
【０００３】
そして、上記封筒の被印刷部をインクジェットプリンタ、レーザープリンタ、複写機又は印刷機等（以下、プリンタ等と称する。）により印刷する際は、該プリンタ等の紙検知用センサ付きの挿入口に前記封筒を挿入し、所定の印刷位置まで搬送して印刷している。しかしながら、前記封筒は紙目によって曲げや捩じれ等が生じ易いために、次のような不具合が起きる。即ち、前記プリンタ等の挿入口に封筒を挿入したときに、前記封筒に生じた曲げ等の部位が挿入口近傍に配置されている封筒検知用センサにて該封筒の挿入が検知されずに、該封筒がプリンタ等の印刷位置で正常に搬送されないことがあった。
【０００４】
斯くして、該プリンタ等による封筒に対する印刷処理において、該プリンタ等の印刷速度が低下したり、或いは封筒の搬送途中に紙詰まりを起こして印刷自体が全面ストップする等の障害を来すことが往々にしてあった。更に、前記封筒が正規の印刷位置から外れて、鮮明な印刷が正確に実施されないことがあった。
【０００５】
そこで、上記封筒の紙目による曲げ等に起因する印刷障害、即ち印刷速度の低下や不正確な印刷が起こらないようにするために解決されるべき技術的課題が生じてくるのであり、本発明は該課題を解決することを目的とする。
【課題を解決するための手段】
【０００６】
本発明は上記目的を達成するために提案されたものであり、請求項１記載の発明は、表面部紙シ−ト片の周縁部と裏面部紙シ−ト片の周縁部とを相互に貼り合わせて袋状に形成し、前記表面部紙シ−ト片の紙目の方向と裏面部紙シ−ト片の紙目の方向とが互いに直交するように構成した印刷用封筒を提供する。
【０００７】
この構成によれば、前記封筒の表面部紙シ−ト片の紙目の方向と裏面部紙シ−ト片の紙目の方向とが互いに直交することにより、該双方の紙目に曲げや捩じれ等の作用力が生じても、該双方の作用力が直交方向より互いに干渉し合って相殺されるので、封筒自体に曲げや捩じれ等が発生することが防止され、該封筒は上記従来例とは異なり平坦面状に良好に維持されることとなる。
【０００８】
斯くして、該平坦面状の封筒を上記プリンタ等の挿入口に挿入したときに、従来の如く封筒の挿入端部等が挿入口近傍の封筒検知用センサに接触することがなく、該封筒はプリンタ等の印刷位置まで円滑に搬送されることとなる。又、本発明の封筒は平坦面状を常に
維持するので、該封筒の被検知部位は前記封筒検知用センサにより確実に検知されるようになる。
【発明の効果】
【０００９】
請求項１記載の発明は、封筒自体に曲げ等が発生せずに平坦な面が維持されることにより、プリンタ等への封筒挿入時に、該センサによる検知が確実に行われ、該封筒は所定の印刷位置まで正常に搬送される。従って、該封筒は前記プリンタ等により円滑な印刷処理が確実に実施されるために、従来例の如き印刷上の不具合、即ち、印刷速度の低下や紙詰まり等による印刷停止を招来することがなく、所望の高速印刷を常時スムーズに実行することができる。又、前記封筒は良好な平坦面状を維持したまま正規の印刷位置に移動し、該封筒の被印刷部に正確な印刷を鮮明に施すことができるという利点がある。
【発明を実施するための最良の形態】
【００１０】
本発明は、上記紙目による曲げ等に起因する印刷障害、即ち印刷速度の低下、紙詰まり、不正確な印刷等を解消するために、封筒の表面部紙シ−ト片の紙目と裏面部紙シ−ト片の紙目とが相互に直交方向となるように配設し、該表裏両部の紙目に沿う曲げ力等が相互に相殺し合って、該封筒に曲げ等が生ぜずに平坦面を維持すべく形成したことにより実現した。
【実施例】
【００１１】
以下、本発明の一実施の形態を図１乃至図４に従って説明する。図中、１はインクジェットプリンタ、レーザープリンタ等により印刷される差出人表示部等の被印刷部２を有する左右方向（図１中のＬＲ方向）に長い角形封筒であり、該封筒１は、その下端部側に開口部３が形成されている。そして、該封筒１は、表面部紙シ−ト片４と裏面部紙シ−ト片５とを相互に接着して袋状に作製されている。即ち、予め所定の角形形状に裁断された表面部紙シ−ト片４と裏面部紙シ−ト片５とを相互に重ね合わせ、前記封筒１の下端開口部３に相当する外周縁以外において、前記表面部紙シ−ト片４の外周縁部と裏面部紙シ−ト片５の外周縁部とを、接着剤６により相互に接着することにより、前記下端開口部３を有する袋状の封筒１が形成されている。
【００１２】
ここで、前記表面部紙シ−ト片４は、図３に示すように、ＬＲ方向と平行な方向に沿う紙目（縦目）４ａ，４ａ，・・・を有する一方、上記裏面部紙シ−ト片５は、図４に示すように、ＬＲ方向と直角な縦方向に沿う紙目（横目）５ａ，５ａ，・・・を有する。而して、前記表面部紙シ−ト片４と裏面部紙シ−ト片５とを接着する際は、前記表面部紙シ−ト片４の紙目４ａ，４ａ，・・・と裏面部紙シ−ト片５の紙目５ａ，５ａ，・・・とが互いに直角に交差するようにして相互に接着している。斯くして、前記封筒１は、上面部の縦目４ａ，４ａ，・・・の方向と下面部の横目５ａ，５ａ，・・・の方向とが互いに直交して袋状に作製されている。
【００１３】
このため、該封筒１は、前記表面部紙シ−ト片４の縦目４ａと裏面部紙シ−ト片５の横目５ａ，５ａ，・・・とが互いに直交しているので、該縦目４ａ，４ａ，・・・及び横目５ａ，５ａ，・・・に起因してそれぞれ曲げや捩じれ等の作用力が生じても、表裏両方の作用力が相互に直交する二方向から干渉し合って零に相殺される。その結果、全体として封筒１自体に曲げや捩じれ等を呈することなく、該封筒１の表面は、良好な平坦面状に常時維持される。
【００１４】
従って、封筒１をインクジェットプリンタ等の挿入口に挿入しても、該封筒１の挿入端部等は真っ直ぐな平坦面を維持しているので、該挿入端部等は、前記挿入口近傍の封筒検
知用センサにて確実に検知され、前記封筒１は正規の印刷位置まで迅速円滑に搬送されることとなる。
【００１５】
斯くして、該正規の印刷位置まで搬送された封筒１は、前記インクジェットプリンタ等により所定の印刷位置に円滑に印刷される。即ち、従来例の如き、印刷速度の低下や紙詰まり等による印刷停止を来すことなく、目的とするスピード印刷が常に確保される。又、該封筒１は平坦面状を維持したまま正規位置にて印刷されるので、該封筒１には鮮明な印刷が正確に施され、印刷品質が従来に比べて著しく向上する。
【００１６】
本発明は上記実施例に限定されず、種々の応用変形例が可能である。例えば、上記実施例とは異なり、前記表面部紙シ−ト片４の紙目４ａ，４ａ，・・・が封筒１の長手方向と直角となり、且つ、裏面部紙シ−ト片５の紙目５ａ，５ａ，・・・がこれと直交するように形成しても良い。この場合でも、双方の紙目４ａ，４ａ，・・・及び５ａ，５ａ，・・・に生じる曲げ力等が互いに打ち消し合うので、封筒１自体に曲げ等を生じることなく平坦なシート面状態が良好に維持される。
【００１７】
又、前記表面部紙シ−ト片４の紙目４ａ，４ａ，・・・及び裏面部紙シ−ト片５の紙目５ａ，５ａ，・・・が封筒１の長手方向に対して斜め方向となるものを用いることができる。この場合でも、前記紙目４ａ，４ａ，・・・の方向と紙目５ａ，５ａ，・・・の方向とが互いに交差してなす角度を直角に形成することにより、上記実施例と同様の効果を奏することができる。
【００１８】
尚、本発明は、本発明の精神を逸脱しない限り種々の改変を為すことができ、そして、本発明が該改変されたものに及ぶことは当然である。
【図面の簡単な説明】
【００１９】
【図１】本発明の実施例に係る封筒を一部破断して示す表面図。
【図２】実施例に係る封筒の裏面図。
【図３】実施例の封筒を構成する表面部紙シ−ト片の紙目方向を説明する表面図。
【図４】実施例の封筒を構成する裏面部紙シ−ト片の紙目方向を説明する表面図。
【符号の説明】
【００２０】
１      封筒
２      被印刷部
３      開口部
４      表面部紙シ−ト片
４ａ    紙目（縦目）
５      裏面部紙シ−ト片
５ａ    紙目（横目）  
６      接着剤
【図１】
2005247376.tif 000003
【図２】
2005247376.tif 000004
【図３】
2005247376.tif 000005
【図４】
2005247376.tif 000006